(57)【要約】      （修正有）【課題】例外的に高強健な性質、優れた葉、極めて魅力的で例外的に大きな白い花苞葉の多花ディスプレイ、高レベルの耐寒性、良好な耐乾燥性及びうどん粉病及びミズキ炭素病の素因に対して高耐性で識別される、ミズキの栽培変種植物の提供。【解決手段】Ｃｏｒｎｕｓ  ｋｏｕｓａとＣ．ｎｕｔｔａｌｌｉｉとの進歩した世代種間雑種。【選択図】図１
2005224239.tif 000002
【特許請求の範囲】
【請求項１】
ミズキ科のＣｏｒｎｕｓ  ｋｏｕｏｓａとＣ．ｍｕｔｔａｌｌｉｉとの進歩した世代の種間雑種から成ることを特徴とするミズキの新規で特異の栽培変種植物。
【発明の詳細な説明】
【技術分野】
【０００１】
本発明は、ミズキ科のＣｏｒｎｕｓ  ｋｏｕｏｓａとＣ．ｍｕｔｔａｌｉｉとの進歩した世代の種間雑種ら成るミズキの新規で独特な栽培変種植物に関する（植物学名：ミズキ属ミズキ科ミズキのＣｏｒｎｕｓ  ｋｏｕｓａとＣ．ｎｕｔａｌｌｉｉとの種間雑種；栽培変種植物名：ＫＮ３０−８）。
【背景技術】
【０００２】
この新規の栽培変種植物は、ミズキの種間交雑および選択、この場合、Ｃｏｒｎｕｓ  ｋｏｕｏｓａと関係のないＣｏｒｎｕｓ  ｋｏｕｏｓａに戻し交雑されたＣｏｒｎｕｓ  ｎｕｔａｌｌｉｉとのＦ１種間雑種の交雑の長期継続の詳細な計画の産物である。その子孫は、慎重に維持された、そして潜在的な商的品種及び栽培変種植物としてのそれらの相違及び優れた値の特性を分析した。
【０００３】
我々は、栽培地域で成長したある子孫からの特定の実生を選択し、その結果として、引続き同じものを接木（通常、Ｔ−出芽又はチップ出芽）によって無性生殖させた。それは、軟材挿木によっても伝播できる。その新規の栽培変種植物の生殖及び実際の成長及び選択は、米国、ＮＪ州のニューブランズウィツク（Ｎｅｗ  Ｂｒｕｎｓｗｉｃｋ）の近くで行われた、そしてその地域であるＵＳＤＡ植物耐寒性マップゾーン６ａにおけるその栄養的耐寒性に関して優れていることがわかった。
【０００４】
以下に記載する本発明の詳細な説明から理解されるように、その新規の栽培変種植物は、実際に優れており、そのようなことが容易に確認される。以下の記載は、その新規の栽培変種植物を明確に定義し、その望ましい特性がこれまで示唆されてきた計画の結果であることが理解される。
【特許文献１】なし
【発明の開示】
【発明が解決しようとする課題】
【０００５】
その品種は、Ｒｕｔｇｅｒｓ  Ｕｎｉｖｅｒｓｉｔｙ  （Ｎｅｗ  Ｂｒｕｎｓｗｉｃｋ，ＮＪ州０８９０１、Ｍｉｄｄｌｅｓｅｘ  Ｃｏｕｎｔｙ）の園芸農場Ｎｏ．１で発見された。この実生は、１９８３年６月２日に、種子の親のＣｏｒｎｕｓ  ｋｏｕｓａ（Ｂｕｅｒｇｅｒ  ｅｘ．Ｍｉｑ．）Ｈａｎｃｅ‘Ｃｈｉｎｅｎｓｉｓ’とＣｏｒｎｕｓ  ｍｕｔｔａｌｌｉ‘Ｇｏｌｄｓｐｏｔ’との間で    行われた制御された交雑から得られた（未特許）、そしてその花粉の親はＣｏｒｎｕｓ  ｋｏｕｓａ‘Ｒｏｓｅａ’である（未特許）。この新規の品種となった実生は、１９８４年４月中に発芽し、１９８４年５月に実生フラットから約３．８Ｌの容器に移植し、続いて１９８６年４月まで逐次大きな容器で成長させた、そのときにそれは、ＮＪ州、Ｎｏｒｔｈ  ＢｒｕｎｓｗｉｃｋのＮＪ農業実験場のフィルドＮｏ．２０に移植した、そして２０年齢の樹として今ここで成長している。また、それは、ＮＪＡＥＳ，Ｃｏｏｋ  Ｃｏｌｌｅｇｅ／Ｒｕｔｇｅｒｓ  Ｕｎｉｖｅｒｓｉｔｙとの正式な試験合意の下にＴｅｎｎｅｓｓｅｅ，Ｏｒｅｇｏｎ，及びＣａｌｉｆｏｒｎｉａにおいて養樹係によって伝播されてきた。この新規の変種は、これら２つの種の最初に報告された進歩した世代の種間雑種である。
【発明を実施するための最良の形態】
【０００６】
本発明の植物学上の説明
植物
形態：樹木
成長習性：低く地面に分枝する緻密な樹であり、直立の枝は丈よりも広い丸い頭部を形成する。極めてよく育つ。
高さ：２０年で５．４８ｍ
広がり：２０年で６．５５ｍ直径
【０００７】
植物の活力：この新規雑種系統の植物は、Ｃ．ｋｏｕｓａの最近の品種植物より著しく活力がる。Ｂｏｒｉｎｇ，Ｏｒｅｇｏｎ又はＷｉｎｃｈｅｓｓｔｅｒ，Ｔｅｎｎｅｓｓｅｅで生産された１年出芽苗木（Ｃ．ｋｏｕｓａ又はＣ．ｆｌｏｒｉｄａの台木）は平均して１．２ｍ高さであり、強く、分枝する。
【０００８】
耐寒性：
原種の実生は１８年間で冬の損傷は全く受けなかった、それは、ＵＳＤＡ耐寒性マップゾーン６ａ（−５〜−１０゜Ｆ）においてＮＪ州、Ｎｏｒｔｈ  Ｂｒｕｎｓｗｉｃｋにおけるフィルドで観察された。
【０００９】
昆虫類及び病気耐性：
その農場で原種の原種実生を試験して品種‘ＫＮ３０−８’を育てた１８年間、昆虫又は病気問題は観察されなかった。
幹：土壌レベルで原種実生の冠部の周囲は、２０年で１．３５ｍであった。
色：１９７Ｃ及び１９７Ｄの灰色−緑色グループ
組織（肌理）：幹の胸高断面積０．４６でサンドペーパによってざらざらにし、樹皮を薄く剥ぐ。
【００１０】
枝：
色：２００Ｂ、褐色グループに最も近い
組織：滑らか、ごく小さい粗い隆起（皮目）。
叉の角度：４５度
皮目：豊富
節間の長さ：６．５〜１５ｃｍ
【００１１】
葉
葉の配列：対向
葉の大きさ−葉身：
2005224239.tif 000003
【００１２】
形状：長円形〜卵形
先端：頂端が急に短くとがっている
ベース：細く−鋭先形
ふち：ゆるやかに波形
【００１３】
組織（肌理）：葉は、背軸面の顕著な中助で蜜に組織化されており、平均５、時々６の二次葉脈対。両面は、多くの微細で短い白色の毛のためにふかふかである。
他の特徴：最上の３-４葉脈対の葉腋において長い褐色毛の密な房。
【００１４】
量：豊富
色合い：濃い
成熟葉の色−向軸面：１３９Ａ緑色グループ
背軸面：１３７Ｃ緑色グループ
ＮＪ州、Ｎｅｗ  Ｂｒｕｎｓｗｉｃｋの秋葉の色：
【００１５】
向軸面：９月１０〜１０月−１３７Ａ緑色グループ；１１月−の葉は全く魅力的であるが、樹の基部の葉及び植物の内部は緑色（１３７Ａ緑色グループ）。他の葉は、なお著しく緑であるが、他の色でまだらであり；大部分が１８７Ａ及び１８５Ａ灰紫色グループで１３Ａの黄色、１７Ｃ黄色−オレンジ、４２Ａ赤、及び４６Ａ赤でまだらである。
【００１６】
背軸面：１３８Ｃ緑色グループ。
葉の色は、土壌のタイプ、太陽への暴露、空気の温度、日の長さ、水及び栄養素の利用可能性のような多くの環境要素に明らかに依存する。従って、葉の色は場所によって変わる。
リブ及び葉脈：上記組織を参照。
【００１７】
葉柄：ＮＪ州、Ｎｅｗ  Ｂｒｕｎｓｗｉｃｋでの色
５月：１４４Ｂ黄色−緑色グループ
６月：１４３Ｃ黄色−緑色グループ
９月：１４５Ａ黄色−緑色グループ
１０月：１４４Ａ黄色−緑色グループ、少し４７Ｂ赤グループ及び５３Ａ赤グループ。
【００１８】
耐病性：我々の新規雑種系統の無性伝播植物は、Ｎｅｗ  Ｂｒｕｎｓｗｉｃｋ、Ｎｅｗ  Ｊｅｒｓｅｙ州（１８年）、Ｂｏｒｉｎｇ，Ｏｒｅｇｏｎ又はＷｉｎｃｈｅｓｅｒ，Ｔｅｎｎｅｓｓｅｅ州（１０年）試験したが、うどん粉病又はミズキ炭素病に敏感な証拠はない。
【００１９】
花序
観察した場所：動物研究農場（ＮＪ州、Ｎｏｒｔｈ  Ｂｒｕｎｓｗｉｃｋ，ＮＪＡＥＳ）。
花序の種類：頭花又は頭状花序。密、丸いマウンド。
冬の間の花芽：５．６ｍｍ高さ及び６．３ｍｍ幅（ｎ＝１０）。
【００２０】
花柄：冬の月において、１−２ｃｍ長さ、３．１ｃｍ幅。典型的に２、時々３対の対向する約９．１ｍｍ長さ、７．６ｍｍ幅の密着苞葉によって、完全に被覆又は囲われる。これらの成長の苞葉は花柄上でぴったり入れ子式であって、基部６０％で均一な幅であり、少しテーパをもって鈍い先端で閉じる。それらの色は基部及び中央部で１８５Ａ灰−紫色そして先端及び縁に沿って１７７Ｂ灰−オレンジ色である。
【００２１】
花成時期の大きさ−（遅い５月−早い６月）：
2005224239.tif 000004
【００２２】
ＫＮ３０−８における花柄の長さは、Ｃ．ｋｏｕｓａ又はＣ．ｎｕｔｔａｌｌｉｉの植物におけるものと余り異ならないが、花柄は、ＫＮ４−４３（植物特許出願）として平均長さ１．６７ｍｍを有する商業におけるＣ．ｋｏｕｓａとＣ．ｎｕｔｔａｌｌｉｉとの既知のＦ１種間雑種の花柄より明らかに長い。
【００２３】
花苞葉：
数：典型的に４（２つの対向対；しばしば５）。
【００２４】
花苞葉の大きさ： 
2005224239.tif 000005
【００２５】
ＫＮ３０−８の植物の花苞葉の大きさは、樹の一年の成長に及ぼす多くの環境要素のために年毎に変わる。しかしながら、我々の新規雑種の花苞葉は、Ｃ．ｋｏｕｓａの栽培変種植物の花苞葉より大きい、そして今日市販されているＣ．ｋｏｕｓａとＣ．ｆｌｏｒｉｄａとの６つのＦ１種間雑種（Ａｕｒｏｒａ&reg;、Ｃｅｌｅｓｔｉａｌ&reg;、Ｃｏｎｓｔｅｌｌａｔｉｏｎ&reg;、Ｓｔａｒｄｕｓｔ&reg;、Ｓｔｅｌｌａｒ  Ｐｉｎｋ&reg;  及びＥｌｌｅｎ&reg;））、並びにＣ．ｋｏｕｓａとＣ．ｎｕｔｔａｌｌｉｉとのＦ１種間雑種（ＫＮ−４−４３，植物特許出願））及びＦ１種間雑種‘Ｅｄｄｉｅ’ｓ  Ｗｈｉｔｅ  Ｗｏｎｄｅｒ’（Ｃ．ｆｌｏｒｉｄａとＣ．ｎｕｔｔａｌｌｉｉとの雑種）の花苞葉より大きい。ＫＮ３０−８の花苞葉は、Ｃ．ｎｕｔｔａｌｌｉｉの典型的植物の花苞葉のサイズに匹敵する（苞葉は約６〜７．５ｃｍ）。
【００２６】
色：
向軸面：１５５Ａ白色グループに最も近い
背軸面：１５５Ｄ白色グループに最も近い
【００２７】
形状：球状
先端：広く急に短くとがっている
基部：短く（５〜８ｍｍ）、広い（５〜６ｍ）柄上で先細
【００２８】
花の説明：花の習性：極めて多花である。単花は、大きな花苞葉によって抱かれたコンパクトで緻密な頭に配列される。香りは観察されなかった。花は落ちない。苞葉の花ディスプレイは、気候条件に依存して２〜３週間続く。
【００２９】
花の習性：セントラルＮｅｗ  Ｊｅｒｓｅｙ  で５月の最後の週の頃に生じて気候条件に依存して１４〜２１日間続く大きな花苞葉の観賞ディスプレイの開始の数日後に小さく、比較的目立たない真花の開花が一般に始まる。
【００３０】
花頭当たりの真花の数：
１９９５年    ７３．１（ｎ＝２５）
１９９６年    ６９．７（ｎ＝１０）
１９９７年    ６４．９（ｎ＝５８）
１９９８年    ６７．３（ｎ＝１４）
１９９９年    ７４．１（ｎ＝４７）
２００１年    ７２．０（ｎ＝２５）
２００２年    ６３．７（ｎ＝４１）
２００３年    ６９．４（ｎ＝３５）
我々の進歩した世代の種間雑種の花頭当たりの真花の数は、雌の親が花頭当たり約７０〜８０花を有し、雄の親（Ｃ．ｋｏｕｓａ）が花頭当たり４５〜５５花を有するから、それらの中間である。
【００３１】
生殖器
雄ずい：
花糸：大きさ：約２．５ｍｍ長さ、０．５ｍｍ幅。
葯：大きさ：約１．１ｍｍ長さ、０．２５ｍｍ幅。
雌ずい：
花柱＋柱頭：約２．２５〜１．７ｍｍ長さ。
【００３２】
果実
果実をもった花頭：平らになった基部を有する約２．５ｃｍ高さと２．５ｃｍ幅の丸いマウンド。多くの内部子房は、Ｃ．ｋｏｕｓａの果実に似た肉づきの良いマスに囲まれている。外部表面は、それぞれの内部子房の先端の乾燥した花部分を除いて全くなめらかである、すなわち、がく及び花柱及び柱頭は、集合的に成熟果実における小さい褐色を帯びたブロッチ（１７７Ａ灰色−オレンジ色グループ）のように見える。
【００３３】
種子：
色：１６５Ｃ灰色−オレンジグループ
大きさ：中心で６．５ｍｍ長さ、４．０ｍｍ幅。基本的に丸いが、基部の鈍い端部へ狭くなっている。
この新規のミズキの栽培変種植物は添付写真で示す。
【図面の簡単な説明】
【００３４】
【図１】２０年の成長季節後の本願発明のミズキの樹を示す。
【図２】花のディスプレー時期に撮った図１に示したミズキの単花頭を示し、花苞葉の色及び形状を示す。
【図１】
2005224239.tif 000006
【図２】
2005224239.tif 000007
【手続補正書】
【提出日】平成17年3月24日(2005.3.24)
【手続補正１】
【補正対象書類名】図面
【補正対象項目名】全図
【補正方法】変更
【補正の内容】
【書類名】図面    【図１】2005224239.tif 000008
【図２】2005224239.tif 000009
【外国語明細書】
2005224239.tif 000010
2005224239.tif 000011
2005224239.tif 000012
2005224239.tif 000013
2005224239.tif 000014
2005224239.tif 000015
2005224239.tif 000016
2005224239.tif 000017
2005224239.tif 000018
2005224239.tif 000019
2005224239.tif 000020
2005224239.tif 000021
2005224239.tif 000022
2005224239.tif 000023